(57)【要約】【課題】コンピューター断層撮影装置のスキャン情報を骨格パラメータに転換する方法を提供する。【解決手段】コンピューター断層撮影装置のスキャン情報を骨格パラメータに転換する方法のステップは次のとおりである。まずコンピューター断層撮影装置、受検対象および成分が明確な二つのダミーを用意する。続いて、コンピューター断層撮影装置によって受検対象のスキャン情報および二つのダミーのスキャン情報を取得する。続いて、計算装置は受検対象のスキャン情報および二つのダミーのスキャン情報をキャッチし、二つのダミーに対応する物理関数モデルに基づいてコンピューター断層撮影装置のエネルギー減衰係数を算出する。物理関数モデルは二つのダミーの明確な成分およびスキャン情報を含む。続いて、エネルギー修正係数を計算装置に書き込む。続いて、計算装置は実在相関関数に基づいて受検対象の骨格パラメータを求める。実在相関関数はコンピューター断層撮影装置のエネルギー減衰係数、受検対象のスキャン情報およびエネルギー修正係数を含む。【選択図】図１
2020151062.tif 000002
【特許請求の範囲】
【請求項１】
コンピューター断層撮影装置を用意するステップと、
受検対象および成分が明確な二つのダミーを用意するステップと、
前記コンピューター断層撮影装置で前記受検対象および二つの前記ダミーを撮影し、前記受検対象のスキャン情報および二つの前記ダミーのスキャン情報を取得するステップと、
前記受検対象のスキャン情報および二つの前記ダミーのスキャン情報を計算装置でキャッチするステップと、
前記計算装置は二つの前記ダミーに対応する物理関数モデルに基づいて前記コンピューター断層撮影装置のエネルギー減衰係数を算出し、前記物理関数モデルは二つの前記ダミーの明確な成分およびスキャン情報を含むステップと、
前記エネルギー修正係数を前記計算装置に書き込み、前記エネルギー修正係数は二つの前記ダミーの明確な成分のエネルギー減衰係数および理想の受検対象のエネルギー減衰係数に関係があるステップと、
前記計算装置は実在相関関数に基づいて前記受検対象の骨格パラメータを求め、前記実在相関関数は前記コンピューター断層撮影装置のエネルギー減衰係数、前記受検対象のスキャン情報および前記エネルギー修正係数を含むステップと、を含むことを特徴とする、
コンピューター断層撮影装置のスキャン情報を骨格パラメータに転換する方法。
【請求項２】
二つの前記ダミーの明確な成分は、ダミーはリン酸二カリウムおよび水の元素の密度、重量パーセント、原子量および原子番号を含み、前記エネルギー減衰係数は光電吸収係数およびレイリー散乱係数を含むことを特徴とする請求項１に記載のコンピューター断層撮影装置のスキャン情報を骨格パラメータに転換する方法。
【請求項３】
前記計算装置はエネルギー減衰係数を計算するモジュールおよび相関関数を成立させるモジュールを有し、エネルギー減衰係数を計算する前記モジュールは前記物理関数モデルを含み、相関関数を成立させる前記モジュールは前記エネルギー修正係数および前記実在相関関数を含むことを特徴とする請求項１に記載のコンピューター断層撮影装置のスキャン情報を骨格パラメータに転換する方法。
【請求項４】
2020151062.tif 000017
前記物理関数モデルは前記方程式１および前記方程式２を含み、
2020151062.tif 000018
請求項１に記載のコンピューター断層撮影装置のスキャン情報を骨格パラメータに転換する方法。
【請求項５】
2020151062.tif 000019
前記実在相関関数は前記方程式３を含み、前記方程式３において、ＣＴＮＢは受検対象のスキャン情報であり、μＢは受検対象の光減衰値であり、Ｘはエネルギー修正係数であることを特徴とする請求項１に記載のコンピューター断層撮影装置のスキャン情報を骨格パラメータに転換する方法。
【発明の詳細な説明】
【技術分野】
【０００１】
本発明は、受検対象の骨格パラメータを取得する方法に関し、詳しくはコンピューター断層撮影装置のスキャン情報を骨格パラメータに転換する方法に関するものである。
【背景技術】
【０００２】
骨密度（ｂｏｎｅ  ｍｉｎｅｒａｌ  ｄｅｎｓｉｔｙ）検査を行うには特殊設備が必要である。特殊設備は二重エネルギーＸ線吸収測定法  （ｄｕａｌ−ｅｎｅｒｇｙ  Ｘ−ｒａｙ  ａｂｓｏｒｐｔｉｏｍｅｔｒｙ，ＤＥＸＡ）による骨密度検査および定量的コンピューター断層撮影（Ｑｕａｎｔｉｔａｔｉｖｅ  ｃｏｍｐｕｔｅｄ  ｔｏｍｏｇｒａｐｈｙ，ＱＣＴ）検査などを行うものである。
【０００３】
二重エネルギーＸ線吸収測定法による骨密度検査技術は二つのエネルギーの異なるＸ線で受検対象の組織を撮影し、受検対象の組織を透過したＸ線をフリッカ検出器でキャッチし、そののちコンピューター処理によって骨密度を算出する技術である。
【０００４】
定量的コンピューター断層撮影検査は生体組織の全体に対するＱＣＴおよび生体組織の部分に対するＱＣＴに分けられる。生体組織の全体に対するＱＣＴは受検対象の組織および密度が明確なダミーを同調走査し、ダミーのスキャン結果を参考にして受検対象の組織のスキャン情報とダミーのスキャン情報を比べて骨密度を算出する技術である。生体組織の部分に対するＱＣＴは筋肉および脂肪組織のスキャン情報を参考にして受検対象の組織のスキャン情報と比べて骨密度を算出する技術である。ＱＣＴの欠点は被曝量が多く、スキャン時間が長いのに測定の正確性が低いことである。
【０００５】
上述したとおり、現今の骨密度検査は特殊設備または専門設備によって行われる。
【０００６】
特殊設備または専門設備において、既に生物組織検査に広く応用されたコンピューター断層撮影装置（Ｃｏｍｐｕｔｅｄ  Ｔｏｍｏｇｒａｐｈｙ，ＣＴ）は受検対象の組織の３Ｄ画像を構成できるが、骨格パラメータを明確にすることはできない。
【発明の概要】
【発明が解決しようとする課題】
【０００７】
本発明は上述した欠点に鑑み、業務用コンピューター断層撮影装置のスキャン情報に基づいてコンピューター断層撮影装置のエネルギー減衰係数を読み取り、スキャン情報を受検対象の骨格パラメータに転換し、骨格検査能力を向上させる方法を提供することを主な目的とする。
【課題を解決するための手段】
【０００８】
上述した課題を解決するためのコンピューター断層撮影装置のスキャン情報を骨格パラメータに転換する方法のステップは次のとおりである。まずコンピューター断層撮影装置を用意する。続いて、受検対象および成分が明確な二つのダミーを用意する。続いて、コンピューター断層撮影装置で受検対象および二つのダミーを撮影し、受検対象のスキャン情報および二つのダミーのスキャン情報を取得する。続いて、受検対象のスキャン情報および二つのダミーのスキャン情報を計算装置でキャッチする。続いて、計算装置は二つのダミーに対応する物理関数モデルに基づいてコンピューター断層撮影装置のエネルギー減衰係数を算出する。物理関数モデルは二つのダミーの明確な成分およびスキャン情報を含む。続いて、エネルギー修正係数を計算装置に書き込む。エネルギー修正係数は二つのダミーの明確な成分のエネルギー減衰係数および理想的な受検対象のエネルギー減衰係数に関係がある。続いて、計算装置は実在相関関数に基づいて受検対象の骨格パラメータを求める。実在相関関数はコンピューター断層撮影装置のエネルギー減衰係数、受検対象のスキャン情報およびエネルギー修正係数を含む。
【０００９】
上述した構成特徴により、本発明は二つの成分が明確なダミーおよびそれに対応する二つのスキャン情報に基づいてコンピューター断層撮影装置のエネルギー減衰係数を算出し、エネルギー減衰係数およびエネルギー修正係数に基づいて受検対象のスキャン情報に対応する骨格パラメータを算出することができる。
【００１０】
本発明によるコンピューター断層撮影装置のスキャン情報を骨格パラメータに転換する方法の構成、特徴およびステップを、以下の実施形態の詳細な説明を通して明確にする。
また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００１１】
【図１】本発明の一実施形態によるコンピューター断層撮影装置のスキャン情報を骨格パラメータに転換する方法のステップを示す模式図である。
【図２】図１の転換システムの流れを示す模式図である。
【発明を実施するための形態】
【００１２】
以下、本発明によるコンピューター断層撮影装置のスキャン情報を骨格パラメータに転換する方法を図面に基づいて説明する。なお図面に示したコンピューター断層撮影装置のスキャン情報を骨格パラメータに転換する方法のステップの順番および回数は本発明の技術特徴を説明する例として掲示されるため、本発明の構成を限定できない。
【００１３】
（一実施形態）
図１に示すように、本発明の一実施形態によるコンピューター断層撮影装置のスキャン情報を骨格パラメータに転換する方法１００は図１中のステップに基づいて実現するが、これに限定されず、別の実施形態においてステップの回数を増減させたり、ステップの順番を調整したりしてもよい。つまり、ステップの回数および順番は本実施形態に限定されない。
【００１４】
ステップ１１０は二つのダミーを用意する。ステップ１１１は二つのダミーを分析する。分析ステップは周知した成分分析方式に基づいてダミーおよび受検対象の成分を明確にする。ステップ１１３は受検対象を用意する。本実施形態において、受検対象は生物の骨格（ｃｏｒｔｉｃａｌ  ａｎｄ  ｍａｒｒｏｗ）である。明確な成分のパラメータまたは成分比は説明のために提示されるため、本発明を限定できない。
【００１５】
本実施形態において、ダミーはリン酸二カリウム（Ｋ２ＨＰＯ４）および水（Ｈ２Ｏ）の混合物である。ダミーを製作する際、特定の比例でリン酸二カリウムおよび水を混合して型に注入し、固化させれば多節（段）の骨格ダミーが完成する。ダミーの密度は溶液が充填してあるダミーのそれぞれの部位によって異なり、範囲が０．１から０．９ｇ／ｃｍ３の間である。ダミーは複数の部位に分割される。ダミーのそれぞれの部位はパラメータの比が異なる。同じ部位内の材質は比が均一に維持される。
【００１６】
【表１】
2020151062.tif 000003
【００１７】
【表２】
2020151062.tif 000004
【００１８】
以上は二つの比が異なるダミーの製作工程についての説明である。続いて一つのダミーを第一ダミー、別の一つのダミーを第二ダミーと定義する。表１は第一ダミーおよび第二ダミーの比である。表１に示すように、第一ダミーおよび第二ダミーは体積パーセント、重量パーセントおよび密度が異なる。つまり、表１に基づいて成分および比が異なるダミーを製作することができる。表１において、Ｖ１は第一ダミーの体積パーセントである。Ｖ２は第二ダミーの体積パーセントである。Ｗ１は第一ダミーの重量パーセントである。Ｗ２は第二ダミーの重量パーセントである。ρ１は第一ダミーの密度である。ρ２は第二ダミーの密度である。
【００１９】
表２は表１に基づいて求めた第一ダミー、第二ダミーおよび水の成分の体積パーセント、重量パーセント、密度およびスキャン情報に対応する数値であるが、本発明の技術特徴を説明するために提示されるため、本発明の構成を限定できない。
【００２０】
【表３】
2020151062.tif 000005
【００２１】
続いて、ダミーを分析する。表３に示すように、リン酸二カリウム（Ｋ２ＨＰＯ４）および水（Ｈ２Ｏ）のそれぞれの元素（Ｋ、Ｈ、ＰおよびＯ）は原子番号（Ｚｉ）および原子量（Ａｉ）が周期表によって明確にされ、重量パーセント（Ｗｉ）および密度（ρｍ）が表１に基づいて明確にされる。
【００２２】
ステップ１３０はコンピューター断層撮影装置（Ｃｏｍｐｕｔｅｄ  Ｔｏｍｏｇｒａｐｈｙ，ＣＴ）を用意する。コンピューター断層撮影装置は任意の光子検出コリメータを備える装置、例えばマルチデクターＣＴまたはデュアルソースＣＴなどであり、デジタル幾何学演算によって立体的放射線医療用イメージングを生成する。本発明は本実施形態においてシングルソースＣＴのエネルギー係数に基づいて校正する方式を採用するため、撮影の回数および被曝量を減少させることができるが、これに限定されず、別の実施形態においてデュアルソースＣＴを採用することができる。
【００２３】
ステップ１３１は第一ダミー、第二ダミーおよび受検対象を撮影して第一ダミー、第二ダミーおよび受検対象に対応するスキャン情報（ＣＴ  ｎｕｍｂｅｒ）を収集する。スキャン情報はＣＴ値（ｈｏｕｎｓｆｉｅｌｄ  ｕｎｉｔ，ＨＵ）で表示される。ＣＴ値（ＣＴＮｍ）、即ち光減衰値は生物（受検対象）組織の局部を測定する計量単位である。
【００２４】
ステップ１４０は受検対象のスキャン情報、第一ダミーのスキャン情報および第二ダミーのスキャン情報を受信する。
【００２５】
ステップ１５０はコンピューター断層撮影装置のエネルギー減衰係数を計算する。エネルギー減衰係数は第一ダミーおよび第二ダミーの成分、第一ダミーのスキャン情報、第二ダミーのスキャン情報、第一ダミーに対応する物理関数モデルおよび第二ダミーに対応する物理関数モデルに基づいて算出される。
【００２６】
[方程式１]
2020151062.tif 000006
【００２７】
[方程式２]
2020151062.tif 000007
【００２８】
【表４】
2020151062.tif 000008
【００２９】
ステップ１５０において、物理関数モデルは方程式１および方程式２を含む。光減衰値μｍは方程式１に基づいて計算される。光減衰値μｍ中の記号ｍは任意の数字または符号
に代わり、第一ダミー、第二ダミーおよび水を分別する。方程式１において、ＮＡはアボガドロ定数である。アボガドロ定数は６．０２２Ｅ２３である。ρｍは密度である。Ｗｉは重量パーセントである。Ａｉは原子量である。
2020151062.tif 000009
コンピューター断層撮影装置のエネルギー減衰係数はｋ１およびｋ２によって表示される。ｋ１はレイリー散乱係数である。ｋ２は光電吸収係数である。
【００３０】
方程式２において、記号「＝」の左はＣＴ値を表示する。
2020151062.tif 000010
ＣＴ値（ＣＴＮｍ）はコンピューター断層撮影装置でダミーを撮影して求めた数値であり、方程式２に基づいて
2020151062.tif 000011
に対応する定数に転換される。
【００３１】
方程式１においてＺｉは元素の原子番号である。例えば水素（Ｈ）の原子番号は１である。酸素（Ｏ）の原子番号は８である。
2020151062.tif 000012
（文献『Ａｔｔｉｘ，Ｆ．Ｈ．（２００８）．Ｉｎｔｒｏｄｕｃｔｉｏｎ  ｔｏ  ｒａｄｉｏｌｏｇｉｃａｌ  ｐｈｙｓｉｃｓ  ａｎｄ  ｒａｄｉａｔｉｏｎ  ｄｏｓｉｍｅｔｒｙ．  Ｊｏｈｎ  Ｗｉｌｅｙ  ＆  Ｓｏｎｓ．』参照）。
光電吸収に対応する有効原子番号中のｄおよびレイリー散乱に対応する有効原子番号中のａは文献『Ｒｕｔｈｅｒｆｏｒｄ，  Ｒ．  Ａ．，  Ｐｕｌｌａｎ，  Ｂ．  Ｒ．，  ＆  Ｉｓｈｅｒｗｏｏｄ，  Ｉ．  （１９７６）．  Ｍｅａｓｕｒｅｍｅｎｔ  ｏｆ  ｅｆｆｅｃｔｉｖｅ  ａｔｏｍｉｃ  ｎｕｍｂｅｒ  ａｎｄ  ｅｌｅｃｔｒｏｎ  ｄｅｎｓｉｔｙ  ｕｓｉｎｇ  ａｎ  ＥＭＩ  ｓｃａｎｎｅｒ．  Ｎｅｕｒｏｒａｄｉｏｌｏｇｙ，  １１（１），  １５−２１．  Ｒｕｔｈｅｒｆｏｒｄ』を参照できる。本実施形態において、ｄは１．８６である。ａは３．６２である。
2020151062.tif 000013
相関パラメータは図４によって表示されるが、説明のために提示されるため、本発明の構成を限定できない。
【００３２】
2020151062.tif 000014
エネルギー減衰係数ｋ１、ｋ２は未知数である。
【００３３】
2020151062.tif 000015
二つの比を求める方程式を解けばコンピューター断層撮影装置のエネルギー減衰係数ｋ１、ｋ２を明確にすることができる。本実施形態において、エネルギー減衰係数ｋ１は−４．９６０５８４９０７である。エネルギー減衰係数ｋ２は０．０１０８１６２９８である。
【００３４】
ステップ１５０の説明により、ダミーの数は少なくても二つであるが、これに限定されず、二つ以上であってもよいことが判明した。
【００３５】
ステップ１７０はエネルギー修正係数Ｘを求める。エネルギー修正係数Ｘは理想の骨格およびダミーの特定成分エネルギー依存性の差に基づいて修正される。理想の骨格のエネルギー減衰係数について、それに相関する物理量、放射単位および放射性に対して国際に許容されるアドバイス、統合メトリックおよび物理データは、アメリカ国立標準技術研究所（ＮＩＳＴ）のフォトンクロスセクションデータベース（ＸＣＯＭ：Ｐｈｏｔｏｎ  Ｃｒｏｓｓ  Ｓｅｃｔｉｏｎｓ  Ｄａｔａｂａｓｅ）および国際放射線単位測定委員会（Ｉｎｔｅｒｎａｔｉｏｎａｌ  Ｃｏｍｍｉｓｓｉｏｎ  ｏｎ  Ｒａｄｉａｔｉｏｎ  Ｕｎｉｔｓ  ａｎｄ  Ｍｅａｓｕｒｅｍｅｎｔｓ，ＩＣＲＵ）の報告書（『Ｔｉｓｓｕｅ  Ｓｕｂｓｔｉｔｕｔｅｓ  ｉｎ  Ｒａｄｉａｔｉｏｎ  Ｄｏｓｉｍｅｔｒｙ  ａｎｄ  Ｍｅａｓｕｒｅｍｅｎｔ  Ｒｅｐｏｒｔ−４４』）から検索できる。エネルギー修正係数Ｘはダミーの主な成分（リン酸二カリウム）のエネルギー減衰係数÷理想の骨格のエネルギー減衰係数である。
【００３６】
[方程式３]
2020151062.tif 000016
【００３７】
ステップ１９０は実在相関関数を成立させるステップ１９１と、受検対象の骨格パラメータをキャッチするステップ１９３とを含む。つまり、ステップ１９０は実在相関関数に基づいて受検対象の骨格パラメータを求める。実在相関関数は方程式３で表示され、受検対象の光減衰値μＢおよびコンピューター断層撮影装置で求めたＣＴ値（ＣＴＮＢ）の関係を明確にする。
方程式３はコンピューター断層撮影装置のエネルギー減衰係数ｋ１、ｋ２、受検対象のスキャン情報（ＣＴＮＢ）およびエネルギー修正係数Ｘに関係がある。方程式３と方程式２の違いは次のとおりである。方程式３はエネルギー修正係数に基づいて修正して受検対象の光減衰値μＢの正確性を向上させることが特徴である。従って、光減衰値μＢは方程式１によって骨格パラメータ、例えば骨格密度ρＢを明確にすることができる。
【００３８】
業務用のコンピューター断層撮影装置のエネルギー減衰係数は差があり、固定定数ではない。ステップ１５０はコンピューター断層撮影装置のエネルギー減衰係数ｋ１、ｋ２を算出できる。従って、業務用のコンピューター断層撮影装置はそれに関連するエネルギー減衰係数をステップ１５０によって求めることができる。続いて、ステップ１７０によってエネルギー修正係数Ｘを求めればステップ１９０に成立した実在相関関数をより正確にすることができる。
【００３９】
本発明はコンピューター断層撮影装置で求めたＣＴ値および上述したステップによって生物骨格の密度パラメータを算出することであるため、手術を計画する際の利便性をはかり、手術の品質を向上させることができる。例えば、骨釘を打つ際、医療者は骨格の密度パラメータに基づいて骨格の各節（段）の密度パラメータを把握し、骨密度の比較的好ましい位置を選択し、骨釘を固定することが容易になる。
【００４０】
ステップ１５０はコンピューター断層撮影装置に内蔵された計算装置または外部の計算装置によってエネルギー減衰係数を計算する。言い換えれば、コンピューター断層撮影装置に内蔵された計算装置または外部の計算装置に方程式１および方程式２を書き込めば、計算装置によって処理および演算を行うことができる。
【００４１】
ステップ１７０は入力方式または予め設定されたプログラムによってエネルギー修正係数Ｘを計算装置に書き込むことである。ステップ１９０はコンピューター断層撮影装置に内蔵された計算装置または外部の計算装置において実在相関関数を成立させることである。コンピューター断層撮影装置のエネルギー減衰係数ｋ１、ｋ２に対応する撮影対象の骨格のＣＴ値（情報）が明確にされれば、実在相関関数に基づいて撮影対象の骨格のＣＴ値を撮影対象の骨格の密度パラメータに転換することができる。
【００４２】
計算装置はコンピューター断層撮影装置で求めたＣＴ値（即ち医療用イメージングまたはスキャン情報）を受検対象の骨格パラメータ（例えば密度）を含む医療用イメージングまたはスキャン情報に転換する。
【００４３】
図２に示すように、転換システム３００はコンピューター断層撮影装置３１０および計算装置３３０を備える。計算装置３３０はエネルギー減衰係数を計算するモジュール３３１および相関関数を成立させるモジュール３３３を有する。相関関数を成立させるモジュール３３３はエネルギー減衰係数を計算するモジュール３３１に接続される。
【００４４】
コンピューター断層撮影装置３１０は有線接続方法、無線接続方法または記録メディアによって計算装置３３０に接続され、スキャン情報を提供する。続いて、計算装置はステップ１４０を行う。コンピューター断層撮影装置３１０は台数が一つ以上、例えば二台、三台または三台以上であってもよい。
【００４５】
エネルギー減衰係数を計算するモジュール３３１はステップ１５０を行い、スキャン情報（ステップ１３１参照）をキャッチし、スキャン情報に基づいて物理関数モデル（ステップ１５０参照）を成立させ、コンピューター断層撮影装置のエネルギー減衰係数ｋ１、ｋ２を求める。
【００４６】
相関関数を成立させるモジュール３３３はステップ１７０およびステップ１９０を行う。ステップ１７０によって求めたエネルギー修正係数Ｘは相関関数を成立させるモジュール３３３内に保存されるか書き込まれる。ステップ１９０によって求めた実在相関関数は相関関数を成立させるモジュール３３３内に書き込まれる。
【００４７】
本発明において、計算装置およびその転換方法はコンピューター断層撮影装置で求めたスキャン情報およびダミーの明確な成分をコンピューター断層撮影装置のエネルギー減衰係数に転換し、エネルギー減衰係数に基づいて受検対象の骨格パラメータを明確にすることができる。骨格パラメータは密度および分布状態を含む。従って、本発明の技術特徴により、手術を計画する際、骨格の状態をより正確に把握し、医療の効率および品質を向上させることができる。
【００４８】
本発明は上述した実施形態に限定されず、別の実施形態において、エネルギー減衰係数を計算するモジュール３３１および相関関数を成立させるモジュール３３３を異なる計算装置に別々に配置する、即ちエネルギー減衰係数を計算するモジュール３３１および相関関数を成立させるモジュール３３３を二つの異なる計算装置内に存在させることができる。つまり、一つの計算装置はステップ１５０を行う。別の一つの計算装置は求めたコンピューター断層撮影装置のエネルギー減衰係数をキャッチし、ステップ１７０およびステップ１９０に基づいて受検対象の骨格パラメータを求める。従って、計算装置は数が一つに限定されず、二つでもよい。
【００４９】
以上、本発明は、上記実施形態になんら限定されるものではなく、発明の趣旨を逸脱しない範囲において種々の形態で実施可能である。
【符号の説明】
【００５０】
１００  コンピューター断層撮影装置のスキャン情報を骨格パラメータに転換する方法
１１０、１１１、１１３、１３０、１３１、１４０、１５０、１７０、１９０、１９１、１９３  ステップ
３００  転換システム
３１０  コンピューター断層撮影装置
３３０  計算装置
３３１  エネルギー減衰係数を計算するモジュール
３３３  相関関数を成立させるモジュール
【図１】
2020151062.tif 000020
【図２】
2020151062.tif 000021
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
コンピューター断層撮影装置を用意するステップと、
受検対象および成分が明確な二つのダミーを用意するステップと、
前記コンピューター断層撮影装置で前記受検対象および二つの前記ダミーを撮影し、前記受検対象のスキャン情報および二つの前記ダミーのスキャン情報を取得するステップと、
前記受検対象のスキャン情報および二つの前記ダミーのスキャン情報を計算装置でキャッチするステップと、
前記計算装置は二つの前記ダミーに対応する物理関数モデルに基づいて前記コンピューター断層撮影装置のエネルギー減衰係数を算出し、前記物理関数モデルは二つの前記ダミーの明確な成分およびスキャン情報を含むステップと、
エネルギー修正係数を前記計算装置に書き込み、前記エネルギー修正係数は二つの前記ダミーの明確な成分のエネルギー減衰係数および理想の受検対象のエネルギー減衰係数に関係があるステップと、
前記計算装置は実在相関関数に基づいて前記受検対象の骨格パラメータを求め、前記実在相関関数は前記コンピューター断層撮影装置のエネルギー減衰係数、前記受検対象のスキャン情報および前記エネルギー修正係数を含むステップと、を含むことを特徴とする、
コンピューター断層撮影装置のスキャン情報を骨格パラメータに転換する方法。
【請求項２】
二つの前記ダミーの明確な成分は、ダミーのリン酸二カリウムおよび水の元素の密度、重量パーセント、原子量および原子番号を含み、前記エネルギー減衰係数は光電吸収係数およびレイリー散乱係数を含むことを特徴とする請求項１に記載のコンピューター断層撮影装置のスキャン情報を骨格パラメータに転換する方法。
【請求項３】
前記計算装置はエネルギー減衰係数を計算するモジュールおよび相関関数を成立させるモジュールを有し、エネルギー減衰係数を計算する前記モジュールは前記物理関数モデルを含み、相関関数を成立させる前記モジュールは前記エネルギー修正係数および前記実在相関関数を含むことを特徴とする請求項１に記載のコンピューター断層撮影装置のスキャン情報を骨格パラメータに転換する方法。
【請求項４】
2020151062.tif 000022
前記物理関数モデルは前記方程式１および前記方程式２を含み、
2020151062.tif 000023
請求項１に記載のコンピューター断層撮影装置のスキャン情報を骨格パラメータに転換する方法。
【請求項５】
2020151062.tif 000024
前記実在相関関数は前記方程式３を含み、前記方程式３において、ＣＴＮＢは受検対象のスキャン情報であり、μＢは受検対象の光減衰値であり、Ｘは前記エネルギー修正係数であることを特徴とする請求項１に記載のコンピューター断層撮影装置のスキャン情報を骨格パラメータに転換する方法。